(57)【要約】【課題】体裁良く広告できると共に広告内容の変更が容易な照明式広告装置を提供する。【手段】フレーム１で囲われた内側に灯具が配置される。フレーム１には補助枠材２２が固定されており、補助枠材２２に、乳白色の第２透光板３が固定されている。補助枠材２２には蝶番２６を介して第１透光板２が水平回動自在に取り付けられけている。第１透光板２の裏面に、広告内容が表示されたフィルム２１を張っている。第１透光板２には閉じた状態を保持するための錠２７を設けている。解錠して第１透光板２を手前に回動させるだけで広告内容を簡単に変更することができる。第２透光板３によって光が分散緩和されるため、体裁良く広告できる。【選択図】　　図５
2004037585.tif 000002
【特許請求の範囲】
【請求項１】
透明又は非透明な第１透光板と、第１透光板の裏側に配置された透明又は非透明の第２透光板と、両透光板が重なる大きさのフレームと、フレームの内部に配置された灯具とを備えており、前記両透光板のうち少なくともいずれか一方に広告内容を表示可能になっている、
更に、前記第２透光板はフレームに取り外し可能に固定されており、第２透光板は、フレームに対して回動可能又は着脱可能に取り付けられている、
照明式広告装置。
【請求項２】
前記第１透光板には、当該第１透光板をフレームに対して回動不能又は抜き外し不能に保持する錠を設けている、
請求項１に記載した照明式広告装置。
【発明の詳細な説明】
【０００１】
【発明の属する技術分野】
本発明は、アクリル板のような透明又は透明の板に広告内容を表示して、これを裏側から灯具で照らすようにして照明式広告装置に関するものである。
【０００２】
【従来の技術】
この種の照明式広告装置は、一般にボックス状に形成されていて内部に灯具が配置されている。そして、ボックスの片面又は両面を乳白色等の非透明のアクリル板で構成し、広告が表示されたフィルムをアクリル板の裏面に貼ったり、アクリル板に広告内容を直接に書き込んだりしている。
【０００３】
【発明が解決しようとする課題】
このように広告が表示されたアクリル板を直接に灯具で照明する方法では、灯具に近い部分は光が強くて灯具から遠い部分は光が弱くなるというように、広告の表示を満遍なく均一な輝度で照らせない場合があったり、或いは灯具のシルエットが外側から透けて見えるといった不具合があった。
【０００４】
また、広告内容を変更する場合はアクリル板を取り外す必要があるが、一般にアクリル板はねじでフレームに固定されているため、広告内容を変更する作業が面倒であり、また、広告内容を変更する作業に際して、露出した灯具に物が当たって破損する虞がある点も問題であった。
【０００５】
更に、アクリル板をねじて固定しただけでは、ねじを取り外すことによってアクリル板も取り外れるため、他人による不正行為を防止できないという点も問題であった。
【０００６】
本発明は、このような現状を改善することを課題とするものである。
【０００７】
【課題を解決するための手段】
請求項１の発明では、透明又は非透明な第１透光板と、第１透光板の裏側に配置された透明又は非透明の第２透光板と、両透光板が重なる大きさのフレームと、フレームの内部に配置された灯具とを備えており、前記両透光板のうち少なくともいずれか一方に広告内容を表示可能になっている、更に、前記第２透光板はフレームに取り外し可能に固定されており、第２透光板は、フレームに対して回動可能又は着脱可能に取り付けられている。
【０００８】
請求項２の発明では、前記第１透光板には、当該第１透光板をフレームに対して回動不能又は取り外し不能に保持する錠を設けている。
【０００９】
【発明の作用・効果】
本発明によると、例えば第１透光板に広告の表示を施した場合は、灯具から照射された光は第２透光板によって拡散緩和されるため、灯具の光は第１透光板に対して均等に分散された状態で照射されることになり、このため、体裁良く広告することができる。また、灯具のシルエットが外側に現れることを第２透光板で防止又は抑制することができ、この点からも体裁良く広告することができる。
【００１０】
更に、第１透光板は回動可能か又は抜き外し可能であるため、広告内容を変更する作業を簡単に行うことができ、しかも、その場合に灯具は第２透光板で保護されているため、誤って灯具を傷つけたり破損したりすることはない。
【００１１】
また、第２透光板に広告表示を施すことも可能であり、この場合も、第１透光板を回動させたり取り外したりすることによって表示内容を簡単に変えることができ、かつ、第２透光板の外面に表示を施しておけば、広告内容の変更作業に際して誤って灯具を破損するようなこともない。また、第２透光板に広告内容を表示すると、第１透光板は第２透光板に対するカバー或いは保護扉の役割を果たすことができるため、仮に第１透光板が何らかの理由で損傷したりしても広告機能を維持することができる。
【００１２】
請求項２のように構成すると、錠によって第１透光板を回動不能又は抜き外し不能に保持できるため、広告内容を簡単に変更できる広告装置でありながら、不正行為を防止できる利点がある。
【００１３】
【発明の実施形態】
次に、本発明の実施形態を図面に基づいて説明する。
【００１４】
▲１▼．概要
図１は広告装置の斜視図、図２は内部構造の正面図、図３のうち（Ａ）は図２の　ＩＩＩＡ−ＩＩＩＡ視断面図、（Ｂ）は図２の　ＩＩＩＢ−ＩＩＩＢ視断面図、図４は部材の分離斜視図、図５は図１の　Ｖ−Ｖ視断面図である。
【００１５】
広告装置は、フレーム１と、第１及び第２の透光板２，３とを備えており、フレーム１はアジャスター４で支持されている。フレーム１の下部には、一点鎖線で示すように巾木１ａを取り付けている。
【００１６】
フレーム１は、左右の縦部材５を備えており、左右縦部材５は、その上端と下端寄りとの複数箇所（３ヶ所）において横桟６連結されている。左右縦部材５の内面には、Ｌ形のブラケット７の対が多段に取り付けられており、ブラケット７に、灯具（直管状蛍光灯）８を接続するソケット９が固定されている。
【００１７】
下段の２本の横桟６の上面には各灯具８の安定器１０を取り付けており、最下段の横桟６の下面にはブレーカー１１を取り付けている。以下、各部位の詳細を説明する。ブレーカー１１は下方に露出しているため、リセットを容易に行える利点がある。
【００１８】
▲２▼．フレーム
図４及び図５に示すように、縦部材５はインナーパイプ１２とこれを外側から覆う囲い枠１３とからなっており、囲い枠１３はインナーパイプ１２の前後外側に張り出している。インナーパイプ１２と囲い枠１３とねじ１４で締結されているが、もちろん溶接等の他の固定手段でも良い。
【００１９】
囲い枠１３には縦溝１３ａが形成されている。この縦溝１３にブロック１３ｂを嵌め込んで、このブロック１３ｂにねじをねじ込むことより、隣合った広告装置の縦部材５を固定することができる。
【００２０】
また、縦部材５の外面に合成樹脂製等のサイドカバー１５を装填することができる。図５では複数の広告装置を並設した状態を示しており、この場合は、広告装置群の最端部に位置したエンドの縦部材５だけにサイドカバー１５を装着すれば良い。
【００２１】
横桟６はインナーパイプ１２と同じ前後幅寸法になっており、このため、横桟６の前後両側にはコード類を挿通することができる。従って、ブレーカー１１から引き出されたコード１９は、下段の横桟６の前後いずれかの部位から安定器に引き出すことができる。
【００２２】
図４に示すように、前記ブラケット７はビス１６でインナーパイプ１２に固定されており、また、ソケット９はもビス１７でブラケット７に固定されている。そして、ブラケット７における水平部の付け根箇所に切欠き１８を形成して、この切欠き１８の箇所にコード１９を下方に垂らすようにしている。
【００２３】
すなわち、コード１９はインナーパイプ１２の内面に沿わせた状態で配線できるようにしている。このため、コード１９が灯具８の側に垂れて外側からコード１９の影が見えることを防止できる。
【００２４】
図３に示すように、縦部材５のうち適当な高さ位置には、囲い枠１３を前後両側から切欠くことによって配線通路２０を形成している。従って、広告装置を左右に並設した状態で、コード１９を隣合ったフレーム１の内側に挿通することができる。最上段の横桟６には天カバー１６ａを装着している。
【００２５】
▲３▼．透光板の取り付け
第１透光板２は透明又は半透明のアクリル板から成っており、例えば、その裏面に、広告内容が表示されたフィルム２１を覇っている。フィルム２１は全面を貼着しても良いし、例えば粘着テープを使用して固定しても良い。
【００２６】
第２透光板３は、例えば乳白色のアクリル板のような、非透明でかつ光は透過するように設定されている。なお、両透光板２，３はその機能に応じて、色彩等や透明度を設定したら良い。
【００２７】
フレーム１における縦部材５の前面には、平面視略前向きコ字状の補助枠材２２がビス２３で固定されており、この補助枠材２２に横向き部２２ａを設けて、この横向き部２２ａに第２透光板３をビス２４で固定している。補助枠材２２を縦部材５に固定するビス２３は、第２透光板３の外側からドライバで回転操作するようになっている。
【００２８】
第１透光板２の左右両側縁には、当該側縁を挟み付ける補強部材２５が固着されており、一方の補強部材２５は上下複数個の蝶番２６によって補助部材２５の内側面に取り付けられている。
【００２９】
前記蝶番２６は、補助枠材２２にねじで固定された固定片２６ａと、補強部材２５にねじで固定された可動片２６ｂと、可動片２６ｂに固定したピン２６ｃとを備えており、可動片２６ｂが固定片２６ａの上方に配置されていると共に、ピン２６ｃは固定片２６ａに対して抜き差し自在になっている。従って、第１透光板２は、手前側に回動させた姿勢で持ち上げるだけで簡単に取り外すことができる。
【００３０】
第１透光板２における他方の補強部材２５の裏面には、キーで解施錠される上下２個の錠２７を取り付けている。錠２７はキー操作によって回動するデッドボルト２８を備えており、補助枠材２２には、デッドボルト２８が嵌脱する係合穴（図示せず）が空いている。
【００３１】
錠２７は補強部材２５で囲われているが、かつ、補助枠材２２の内部に嵌まり込むよになっている。このため錠２７への不正行為を防止できる。なお、補強部材２５のうち錠２７のデッドボルト２８の箇所には、デッドボルト２８との干渉を回避するめたの逃がし穴が空いている。なお、錠２７は１ヶ所だけに設けても良い。
【００３２】
本実施形態は、建物の壁面に疎って設置する場合のように片面だけを広告面とした例であり、このためフレーム１は裏側に開口している。フレーム１の裏面にクロス張りのパネルや金属パネルなどのパネル類や金網などの保護材を取付けることも可能である。
【００３３】
両面を広告面とする場合は、フレーム１の裏側に補助枠材２２を固定して、透光板２，３を取り付ければ良い。
【００３４】
透光板２，３の上端は天カバー（或いは笠木）１６ａよりも下方に位置しており、このため、第２透光板３と天カバー１６ａとの間には空間が空いており、このため、灯具８で発生した熱を効率良く放熱することができる。
【００３５】
▲４▼．まとめ
以上の構成において、灯具８から照射された光は第２透光板３で分散緩和されて、第１透光板２には輝度が全体的に緩和された柔らかい光が照射される。このため体裁良く広告することができる。また、灯具８のシルエットが外側に写ることも防止できる。
【００３６】
また、第１透光板２は施錠されているため、フィルム２１を剥がしたり灯具８を破損したりするような不正行為を防止できる。
【００３７】
広告内容を変更する場合は、キーで解錠してから第１透光板２を手前に回動させてフィルムを交換すればよく、このため、広告内容の変更を至極簡単に行える。この場合、灯具８は第２透光板３で保護されているため、フィルム２１の交換作業中に誤って灯具８を破損するようなことはない。
【００３８】
灯具８を交換する場合は、まず、解錠して第１透光板を手前に回動させてから持ち上げることによって当該第１透光板２を取り外し、それから、ビス２３を取り外して補助枠材２２をごと第２透光板３を取り外せば良い。
【００３９】
抜き差し式の蝶番２６を使用せずに、第１透光板２が取り付けられた状態の補助枠材２２にフレーム１から取り外すことも可能であるが、本実施形態のように第１透光板２を抜き外せるように構成すると、第１透光板２と第２透光板３とは単体では軽いため、取り外しの作業が容易になる利点がある。
【００４０】
▲５▼．その他
本発明は上記の実施形態の他にも様々に具体化することができる。例えば、灯具としては直管状の蛍光灯に限らず、他の種類・形状の灯具を使用しても良い。照明の光を例えば青のような色付きとしても良い。透光板はガラス等の他の素材製でも良い。
【００４１】
また、第１透光板は水平回動自在に取付けることには限らず、例えば、上向きに跳ね上げ回動自在又は下向きに倒し回動自在に取付けることも可能である。更に、回動式ではなくて、フレームの縦部材にレールを設けて、このレールに第１透光板２を上方から嵌め込むように構成することも可能である。あるいは、第１透光板をフレームに対して引っ掛けによって装着することも可能である。この場合も錠を設けるのが好ましい。
【００４２】
第１透光板は必ずしも透明とする必然性はなく、半透明としたり乳代色とするなど、広告条件によって任意に設定したら良い。フレームの構造なども、自由に設定することができるのである。
【００４３】
例えば、第２透光板に広告内容を表示して、第１透光板を色彩や模様を付することにより、両透光板に広告表示機能を持たせることも可能である。
【図面の簡単な説明】
【図１】広告装置の斜視図である。
【図２】透光板を捨象した状態での正面図である。
【図３】（Ａ）は図２の　ＩＩＩＡ−ＩＩＩＡ視断面図、（Ｂ）は図２の　ＩＩＩＢ−ＩＩＩＢ視断面図である。
【図４】部材の分離斜視図である。
【図５】図１の　Ｖ−Ｖ視断面図である。
【符号の説明】
１　フレーム
２　第１透光板
３　第２透光板
５　フレームの縦部材
７　ブラケット
８　灯具
２６　蝶番
２７　錠
【図１】
2004037585.tif 000003
【図２】
2004037585.tif 000004
【図３】
2004037585.tif 000005
【図４】
2004037585.tif 000006
【図５】
2004037585.tif 000007